(57)【要約】      （修正有）【課題】雨水と雪を集めて貯蔵し、灌漑に用いる装置を提供する。【解決手段】貯蔵庫と、導水管２及び出力パイプとして用いる容器が使い捨て容器であり、コレクタ４を屋外に配置し、このコレクタ内に雨水や雪が入った後導水管を介してコレクタ内の水を貯蔵庫３内に流して貯蔵し、より低いポテンシャルエネルギの貯蔵庫に接続した導水管によって灌漑するため雨水と雪を集め貯蔵する装置。上記装置は、コレクタと、導水管と、上記コレクタに接続された互いに接続された貯蔵庫とを有し、より低いポテンシャルエネルギの上記貯蔵庫が上記導水管に接続されている。上記装置は構造が簡単である。上記装置が有する上記コレクタと、導水管と、貯蔵庫は使い捨て容器ボトルで作ることができ、コスト低下、効率向上、環境保護が計られ、草木や森林区域に広く適用できる。【選択図】図６
0003173075.tif 000002
【実用新案登録請求の範囲】
【請求項１】
コレクタを屋外に配置し、このコレクタ内に雨水や雪が入った後導水管を介してコレクタ内の水を貯蔵庫内に流して貯蔵し、より低いポテンシャルエネルギの貯蔵庫に接続した導水管によって灌漑することを特徴とする、灌漑のため雨水と雪を集め貯蔵する方法。
【請求項２】
上記コレクタを高、低交互に配置し、上記貯蔵庫を互いに接続し、この貯蔵庫内の水を、より低いポテンシャルエネルギの貯蔵庫に連結した導水管を介して完全に灌漑するために用い、上記導水管を地表層以下に埋め、上記導水管に漏水孔を設けることを特徴とする請求項１記載の方法。
【請求項３】
高、低交互に配置したコレクタと、導水管と、上記コレクタに接続された複数の互いに接続された貯蔵庫とを有し、より低いポテンシャルエネルギの貯蔵庫が上記導水管に接続されていることを特徴とする、灌漑のため雨水と雪を集め、貯蔵するための請求項１記載の方法で使用される装置。
【請求項４】
上記コレクタが盛り上った中央部と周辺くぼみ部とを有する箱状であり、上記コレクタのくぼみ部底端にはドレン開孔が設けられていることを特徴とする、灌漑のため雨水と雪を集め、貯蔵するための方法によって用いられる請求項３記載の装置。
【請求項５】
上記コレクタのドレン開孔が複数の貯蔵庫の入口に接続されており、または複数のコレクタの上記ドレン開孔が導水管を介して接続されており、上記導水管が複数の貯蔵庫に連結されており、上記貯蔵庫の底部が互いに接続されていることを特徴とする、灌漑のため雨水と雪を集め、貯蔵するための方法によって用いられる請求項４記載の装置。
【請求項６】
上記コレクタが溝付きコレクタであり、この溝付きコレクタの端部が互いに接続されることを特徴とする、灌漑のため雨水と雪を集め貯蔵するための方法によって用いられる請求項５記載の装置。
【請求項７】
上記導水管が、複数の容器ボトルの端部と端部を直列に接続せしめて作った形状であり、各容器ボトルの底の内側のくぼみに雌ねじが形成されており、この雌ねじが容器ボトルのネックの雄ねじに螺合し、容器ボトルのネックの雄ねじが他のコンテナボトルの底の雌ねじに螺合し、複数の容器ボトルがねじを介して直列に接続されて導水管を形成することを特徴とする、灌漑のため雨水と雪を集め貯蔵するための方法によって用いられる請求項３記載の装置。
【請求項８】
シールリングが容器ボトルのネックと他の容器ボトルの底部間の螺合部に設けられており、または容器ボトルの底部のねじ孔に内側に向って曲げられるバイオネットが設けられていることを特徴とする、灌漑のため雨水と雪を集め貯蔵するための方法によって用いられる請求項７記載の装置。
【請求項９】
より小さいポテンシャルエネルギの貯蔵庫に連結した導水管が地表層以下に位置されており、この導水管に漏水孔が設けられていることを特徴とする、灌漑のため雨水と雪を集め貯蔵するための方法によって用いられる請求項３記載の装置。
【請求項１０】
コレクタと、貯蔵庫と、導水管及び出力パイプとして用いる容器が使い捨て容器で作られることを特徴とする、灌漑のため雨水と雪を集め貯蔵するための方法によって用いられる請求項３、４、５、６、７、８、または９記載の装置。
【考案の詳細な説明】
【技術分野】
【０００１】
本考案は灌漑のため雨水と雪を集め貯蔵するための方法及び装置に関するものである。
【背景技術】
【０００２】
世界の各国では多少なりとも水資源の危期に当面している。雨水や雪解け水を貯蔵するための一般的な方法では、川につながるダムを作り、または、貯水槽を掘り、雨水や雪解け水を貯水槽に直接導入している。
【考案の概要】
【考案が解決しようとする課題】
【０００３】
然しながら従来の方法では水を直接貯蔵できる一方、ダムの建設と貯水槽の作成には多くの労働力と財源を必要とし、地理的にも影響を受け、制限される。更に、貯水槽に貯蔵した水を十分に用いるためには対応する出力装置を作る必要がある。貯蔵した水を農場や森林の灌漑に用いる場合には更なる灌漑装置を加える必要があり、従来の方法ではより多くの労働力と資源が必要となる。従って、雨水と雪解け水の利用率は極めて低い現状である。人類の調和と、今日の自然界を強調する立場においては、及び、ダムの構築と、貯水槽の建設と、他の出力及び灌漑装置の設備を作る経済社会の増大を計る傾向にある環境においては、自然界での人間にやさしい環境に対するダメージと、多くの資源を消費することのみならず、貯蔵した水資源を十部に使用できず、更に流水の貯蔵と貯蔵した水の利用との間のバランスをとることができない。
【０００４】
本考案の目的は上記従来の方法の欠点を除き、雨水と雪を集めて貯蔵し、灌漑に用いる方法と装置を得るにある。
【課題を解決するための手段】
【０００５】
本考案においては、日常において貯蔵庫、導水管及び導入パイプとして使用した後の使い捨てのコンテナを利用してコレクタに流したまたは漏れた雨水と雪を貯蔵庫に貯蔵し、導水パイプを介して農業及び森林の灌漑水として使用する。
【０００６】
本考案の目的を技術的に達成するための、雨水と雪を集めて貯蔵し、灌漑に用いる本考案の方法においては、雨水及び雪をスポット上のコレクタに直ちに集めて貯蔵し、貯蔵庫に導入し、より低いポテンシャルエネルギの貯蔵庫に連結した導入パイプを介していつでも１つの束または小さな植物を灌漑するのに用いる。初めにコレクタを屋外に設置し、雨水や雪解け水をコレクタに流入または漏出し、コレクタ内の水を導入パイプを介して貯蔵庫内に集めて貯蔵する。より低いポテンシャルエネルギの貯蔵庫に接続した導入パイプによって灌漑を行なう。
【０００７】
雨水と雪を集め貯蔵し、及び灌漑する方法を使用する装置は複数のコレクタと、複数の導水管と、及び複数の貯蔵庫とを有する。上記複数のコレクタは、複数の貯蔵庫に接続し、上下に交互に設置せしめる。複数の貯蔵庫は互いに接続せしめる。より低いポテンシャルエネルギの位置にある貯蔵庫を導水管に接続する。更に、上記コレクタは、盛り上った中央部と周辺くぼみ部とを有する箱状であり、上記コレクタのくぼみ部底端にはドレン開孔が設けられている。または、コレクタは互いに直列に接続される形の溝付きコレクタである。コレクタのドレン開孔が複数の貯蔵庫の入口に接続されており、または、複数のコレクタのドレン開口が導水管を介して接続されており、この導水管は複数の貯蔵庫に接続されている。この複数の貯蔵庫の底部は互いに接続されている。
【０００８】
上記導水管は互いに直列に接続された複数の容器によって作られる。各容器ボトルの底部のくぼみには雌ねじを形成し、この雌ねじに容器ボトルのネックの雄ねじを螺合できるようにする。複数の容器ボトルをねじを介して直列に接続して導水管を構成せしめる。シールリングを容器ボトルのネックと他の容器ボトルの底部間に配置する。容器ボトル底部のくぼみに形成した雌ねじ部に内側に曲がるバイオネットを設ける。このバイオネットは雌ねじの内側にスプリングによって湾曲せしめる。
【０００９】
上記導水管は、より低いポテンシャルエネルギの位置の貯蔵庫に連結せしめる。更に導水管にはスリットまたは漏水孔を形成し、プラント近くの地表層以下に埋め、導水管から漏れた水がプラントのための湿気を作り得るようにする。
【００１０】
上記コレクタ、貯蔵庫及び導水管として用いられ、パイプを含む容器を使い捨て容器として作り、即ち、導水管を水密に直列に接続した複数の使い捨てのミネラル水容器、飲み物容器または他の使い捨て容器ボトルによって形成する。貯蔵庫そのものを使い捨てとしても良い。コレクタは使い捨て容器ボトルによって作った直列接続した溝付き容器によって形成する。
【００１１】
本考案の方法は容易に実施できる。本考案の装置は構成が簡単であり、用いられるコレクタと、導水管と貯蔵庫は通常使用されている使い捨て容器で作ることができ、コストを下げ、効率を増大できる。雨水と雪は直接及び迅速に集め、貯蔵でき、環境を損なうことなく、草木や林の灌漑のために広く適用できる。本考案装置は草木や林の灌漑のため、水や土壌の管理、洪水防護、水源導入、水源確保等のため有用である。雨水と雪を集め、貯蔵する本考案の方法及び装置によれば、高利益、低コスト、低エネルギ消費、公害なし、労力減少を達成できる利益がある。本考案の方法及び装置は山地、森林、荒地、平野、空中、地面、村落、都市、家屋の前後の場所に広く適用することができ、従って、本考案は、エネルギを節約し、エネルギ排出を減少するための新しい手段であり、また、本考案のより効果的な方法によれば、水と土壌のロスを防ぎ、苗木と作物の品質と植物生存率を上げ、農夫のための天然の飲料水の状態を改良できる。
【図面の簡単な説明】
【００１２】
【図１】本考案のコレクタの一実施例を示す平面図である。
【図２】実施例１に示すコレクタの断面図である。
【図３】灌漑のため雨水と雪を集めて貯蔵するための本考案装置の一実施例の説明図である。
【図４】本考案のコレクタの第２実施例を示す説明図である。
【図５】灌漑のため雨水と雪を集めて貯蔵するための本考案装置の第２実施例の説明図である。
【図６】灌漑のため雨水と雪を集めて貯蔵するための装置によって作られたマイクロリザーバの説明図である。
【図７】導水管の説明図である。
【図８】導水管相互の連結具の説明図である。
【考案を実施するための形態】
【００１３】
以下図面によって本考案の実施例を説明する。
【００１４】
図において１はコレクタ、２は導水管、３は貯蔵庫、４はコレクタ、５は通気孔、６は開閉弁、７は導水管、８は底面、９はボトルくぼみの雌ねじ、１０はバイオネット、１１はネック、１２はボトル底部、１３はシールリング、１４は連結孔及び１５はドレン開孔である。
【００１５】
本考案によって灌漑するため雨水を集め貯蔵するための方法は、複数のコレクタを屋外に配置し、このコレクタ内に雨水や雪が入った後導水管を介してコレクタ内の水を複数の貯蔵庫内に流して集めて貯蔵し、より低いポテンシャルエネルギの位置の貯蔵庫に接続した出力パイプによって灌漑する。上記複数のコレクタを高、低交互に配置し、上記複数の貯蔵庫を互いに接続し、この貯蔵庫内の水を、より低いポテンシャルエネルギの位置の貯蔵庫に連結した出力パイプを介して貯蔵庫の水で完全に灌漑する。各コレクタを１つの貯蔵庫に接続し、各貯蔵庫を連結して雨水や雪を集めて貯蔵し、または導水管によってコレクタを接続し、複数の導水管を貯蔵庫に直接接続し、雨水や雪を集め、貯蔵する。
【実施例１】
【００１６】
図３は、本考案の灌漑のため雨水を集めて貯蔵する方法を実施する装置を示し、複数のコレクタ１と、導水管２と、複数の貯蔵庫３とを有する。複数のコレクタ１は導水管２によって複数の貯蔵庫３に接続する。複数の貯蔵庫３を高、低交互に配置し、互いに接続し、より低いポテンシャルエネルギの位置の貯蔵庫を出力パイプに接続する。更に、コレクタ１は中央部と、盛り上った周辺のくぼみ部とを有する箱状とし、くぼみ部の底端にはドレン開孔１５を設ける。コレクタ１には連結孔１４を形成し、この連結孔１４によって複数のコレクタ１を互いに連結する。図１はコレクタ１の平面図であり、図２はコレクタ１の断面図である。
【実施例２】
【００１７】
本考案の第２の実施例においては、図４に示すように端部と端部とを連結した溝付きコレクタを用いる。図５に示すように複数のコレクタ４のドレン開孔を導水管２によって互いに連結し、この導水管２を貯蔵庫３に連結し、貯蔵庫３の底部を互いに連通せしめる。
【００１８】
図６に示すように、貯蔵庫３の壁には導通孔を形成し、この導通孔を介して複数の貯蔵庫３を互いに連結せしめ、マイクロ貯蔵槽を構成せしめる。複数のコレクタ４を導水管２によって連結し、導水管２のドレン開孔を貯蔵庫３に連結せしめる。複数のの貯蔵庫３はボトルのネック部を介して互いに連結する。より低いポテンシャルエネルギの位置の貯蔵庫３の底部に開閉弁６を設け、この開閉弁６を導水管７に連通せしめる。貯蔵庫の上部には通気孔５を形成する。より低いポテンシャルエネルギの位置の貯蔵庫に連結した導水管は地表層８以下に埋め、導水管７には漏水孔を設け、導水管７からの漏水が地表層のための湿気を形成できるようにする。
【００１９】
図７に示すように複数の容器ボトルの端部同志を結合することによって上記導水管７を構成せしめる。容器ボトルの底部１２の内側のくぼみには雌ねじ９を形成する。更に図８に示すように雌ねじ９は他のボトルのネック１１の雄ねじに適合せしめ、互いに接続できるようにする。複数のボトルをこれらねじを介して互いに直列に接続して導水管を形成せしめる。
【００２０】
シールリング１３をボトルのネックと他の容器ボトルの底部間に設ける。容器ボトル底部の雌ねじ開口部に内側に曲がるバイオネット１０を設け、この開口に弾撥的に係合せしめるボトルのネックを他のボトルの底部の雌ねじにねじ込んだ後バイオネット１０を内側に曲げて両者を締め付ける。
【００２１】
上記コレクタ、貯蔵庫及び導水管として用いるコンテナは、使い捨てのコンテナとする。即ち、導水管は、使い捨てミネラル水ボトル、水以外の飲み物用ボトル、その他の使い捨て容器ボトルの端部同志を液密に接合して形成できる。貯蔵庫は使い捨て容器によって直接作り得る。また、コレクタは端部同志を直列に接続した使い捨ての溝付き容器によって形成できる。
【符号の説明】
【００２２】
１  コレクタ
２  導水管
３  貯蔵庫
４  コレクタ
５  通気孔
６  開閉弁
７  導水管
８  地表面
９  容器ボトルの雌ねじ
１０  バイオネット
１１  ボトルのネック部
１２  容器ボトル底部
１３  シールリング
１４  連結孔
１５  ドレン開孔
【図１】
0003173075.tif 000003
【図２】
0003173075.tif 000004
【図３】
0003173075.tif 000005
【図４】
0003173075.tif 000006
【図５】
0003173075.tif 000007
【図６】
0003173075.tif 000008
【図７】
0003173075.tif 000009
【図８】
0003173075.tif 000010
【手続補正書】
【提出日】平成23年5月31日(2011.5.31)
【手続補正１】
【補正対象書類名】実用新案登録請求の範囲
【補正対象項目名】全文
【補正方法】変更
【補正の内容】
【実用新案登録請求の範囲】
【請求項１】
高、低交互に配置したコレクタと、導水管と、上記コレクタに接続された複数の互いに接続された貯蔵庫とを有し、より低いポテンシャルエネルギの貯蔵庫が上記導水管に接続されており、上記導水管が、複数の容器ボトルの端部と端部を直列に接続せしめて作った形状であり、各容器ボトルの底の内側のくぼみに雌ねじが形成されており、この雌ねじが容器ボトルのネックの雄ねじに螺合し、容器ボトルのネックの雄ねじが他のコンテナボトルの底の雌ねじに螺合し、複数の容器ボトルがねじを介して直列に接続されて導水管を形成することを特徴とする、灌漑のため雨水と雪を集め貯蔵するための装置。
【請求項２】
上記コレクタが盛り上った中央部と周辺くぼみ部とを有する箱状であり、上記コレクタのくぼみ部底端にはドレン開孔が設けられていることを特徴とする、灌漑のため雨水と雪を集め貯蔵するための請求項１記載の装置。
【請求項３】
上記コレクタのドレン開孔が複数の貯蔵庫の入口に接続されており、または複数のコレクタの上記ドレン開孔が導水管を介して接続されており、上記導水管が複数の貯蔵庫に連結されており、上記貯蔵庫の底部が互いに接続されていることを特徴とする、灌漑のため雨水と雪を集め貯蔵するための請求項２記載の装置。
【請求項４】
上記コレクタが溝付きコレクタであり、この溝付きコレクタの端部が互いに接続されることを特徴とする、灌漑のため雨水と雪を集め貯蔵するための請求項３記載の装置。
【請求項５】
シールリングが容器ボトルのネックと他の容器ボトルの底部間の螺合部に設けられており、または容器ボトルの底部のねじ孔に内側に向って曲げられるバイオネットが設けられていることを特徴とする、灌漑のため雨水と雪を集め貯蔵するための請求項１記載の装置。
【請求項６】
より小さいポテンシャルエネルギの貯蔵庫に連結した導水管が地表層以下に位置されており、この導水管に漏水孔が設けられていることを特徴とする、灌漑のため雨水と雪を集め貯蔵するための請求項１記載の装置。
【請求項７】
コレクタと、貯蔵庫と、導水管及び出力パイプとして用いる容器が使い捨て容器で作られることを特徴とする、灌漑のため雨水と雪を集め貯蔵するための請求項１、２、３、４、５または６記載の装置。
【手続補正２】
【補正対象書類名】明細書
【補正対象項目名】全文
【補正方法】変更
【補正の内容】
【考案の詳細な説明】
【技術分野】
【０００１】
本考案は灌漑のため雨水と雪を集め貯蔵するための装置に関するものである。
【背景技術】
【０００２】
世界の各国では多少なりとも水資源の危期に当面している。雨水や雪解け水を貯蔵するための一般的な手段では、川につながるダムを作り、または、貯水槽を掘り、雨水や雪解け水を貯水槽に直接導入している。
【考案の概要】
【考案が解決しようとする課題】
【０００３】
然しながら従来の手段では水を直接貯蔵できる一方、ダムの建設と貯水槽の作成には多くの労働力と財源を必要とし、地理的にも影響を受け、制限される。更に、貯水槽に貯蔵した水を十分に用いるためには対応する出力装置を作る必要がある。貯蔵した水を農場や森林の灌漑に用いる場合には更なる灌漑装置を加える必要があり、従来の手段ではより多くの労働力と資源が必要となる。従って、雨水と雪解け水の利用率は極めて低い現状である。人類の調和と、今日の自然界を強調する立場においては、及び、ダムの構築と、貯水槽の建設と、他の出力及び灌漑装置の設備を作る経済社会の増大を計る傾向にある環境においては、自然界での人間にやさしい環境に対するダメージと、多くの資源を消費することのみならず、貯蔵した水資源を十部に使用できず、更に流水の貯蔵と貯蔵した水の利用との間のバランスをとることができない。
【０００４】
中国出願公開第ＣＮ１１８９９６６Ａには乾燥農耕地での作物のための広幅い水節約灌漑方法が示されている。この方法は灌漑技術に属し、乾燥農耕地内で用いられる水利用に関連する。この技術では種々の手段で水を集め、水節約漏水灌漑によって水耕栽培を行ない、灌漑の間化学肥料を水内に溶解せしめる。この技術によれば乾燥農耕地での良好な収量を確立できる。然しながら、この中国出願公開ＣＮ１１８９９６６Ａには、雨水や雪をコレクタ内に流し、または漏れるようにするために用いる貯蔵庫や導水管を使い捨て容器とすることは全く示されていない。
【０００５】
本考案の目的は上記従来の手段の欠点を除き、雨水と雪を集めて貯蔵し、灌漑に用いる装置を得るにある。
【課題を解決するための手段】
【０００６】
本考案においては、日常において貯蔵庫、導水管及び導入パイプとして使用した後の使い捨てのコンテナを利用してコレクタに流したまたは漏れた雨水と雪を貯蔵庫に貯蔵し、導水パイプを介して農業及び森林の灌漑水として使用する。
【０００７】
本考案の目的を技術的に達成するための、雨水と雪を集めて貯蔵し、灌漑に用いる本考案の装置においては、雨水及び雪をスポット上のコレクタに直ちに集めて貯蔵し、貯蔵庫に導入し、より低いポテンシャルエネルギの貯蔵庫に連結した導入パイプを介していつでも１つの束または小さな植物を灌漑するのに用いる。初めにコレクタを屋外に設置し、雨水や雪解け水をコレクタに流入または漏出し、コレクタ内の水を導入パイプを介して貯蔵庫内に集めて貯蔵する。より低いポテンシャルエネルギの貯蔵庫に接続した導入パイプによって灌漑を行なう。
【０００８】
雨水と雪を集め貯蔵し、及び灌漑する装置は複数のコレクタと、複数の導水管と、及び複数の貯蔵庫とを有する。上記複数のコレクタは、複数の貯蔵庫に接続し、上下に交互に設置せしめる。複数の貯蔵庫は互いに接続せしめる。より低いポテンシャルエネルギの位置にある貯蔵庫を導水管に接続する。更に、上記コレクタは、盛り上った中央部と周辺くぼみ部とを有する箱状であり、上記コレクタのくぼみ部底端にはドレン開孔が設けられている。または、コレクタは互いに直列に接続される形の溝付きコレクタである。コレクタのドレン開孔が複数の貯蔵庫の入口に接続されており、または、複数のコレクタのドレン開口が導水管を介して接続されており、この導水管は複数の貯蔵庫に接続されている。この複数の貯蔵庫の底部は互いに接続されている。
【０００９】
上記導水管は互いに直列に接続された複数の容器によって作られる。各容器ボトルの底部のくぼみには雌ねじを形成し、この雌ねじに容器ボトルのネックの雄ねじを螺合できるようにする。複数の容器ボトルをねじを介して直列に接続して導水管を構成せしめる。シールリングを容器ボトルのネックと他の容器ボトルの底部間に配置する。容器ボトル底部のくぼみに形成した雌ねじ部に内側に曲がるバイオネットを設ける。このバイオネットは雌ねじの内側にスプリングによって湾曲せしめる。
【００１０】
上記導水管は、より低いポテンシャルエネルギの位置の貯蔵庫に連結せしめる。更に導水管にはスリットまたは漏水孔を形成し、プラント近くの地表層以下に埋め、導水管から漏れた水がプラントのための湿気を作り得るようにする。
【００１１】
上記コレクタ、貯蔵庫及び導水管として用いられ、パイプを含む容器を使い捨て容器として作り、即ち、導水管を水密に直列に接続した複数の使い捨てのミネラル水容器、飲み物容器または他の使い捨て容器ボトルによって形成する。貯蔵庫そのものを使い捨てとしても良い。コレクタは使い捨て容器ボトルによって作った直列接続した溝付き容器によって形成する。
【００１２】
本考案は容易に実施できる。本考案の装置は構成が簡単であり、用いられるコレクタと、導水管と貯蔵庫は通常使用されている使い捨て容器で作ることができ、コストを下げ、効率を増大できる。雨水と雪は直接及び迅速に集め、貯蔵でき、環境を損なうことなく、草木や林の灌漑のために広く適用できる。本考案装置は草木や林の灌漑のため、水や土壌の管理、洪水防護、水源導入、水源確保等のため有用である。雨水と雪を集め、貯蔵する本考案の装置によれば、高利益、低コスト、低エネルギ消費、公害なし、労力減少を達成できる利益がある。本考案の装置は山地、森林、荒地、平野、空中、地面、村落、都市、家屋の前後の場所に広く適用することができ、従って、本考案は、エネルギを節約し、エネルギ排出を減少するための新しい手段であり、また、本考案のより効果的な手段によれば、水と土壌のロスを防ぎ、苗木と作物の品質と植物生存率を上げ、農夫のための天然の飲料水の状態を改良できる。
【図面の簡単な説明】
【００１３】
【図１】本考案のコレクタの一実施例を示す平面図である。
【図２】実施例１に示すコレクタの断面図である。
【図３】灌漑のため雨水と雪を集めて貯蔵するための本考案装置の一実施例の説明図である。
【図４】本考案のコレクタの第２実施例を示す説明図である。
【図５】灌漑のため雨水と雪を集めて貯蔵するための本考案装置の第２実施例の説明図である。
【図６】灌漑のため雨水と雪を集めて貯蔵するための装置によって作られたマイクロリザーバの説明図である。
【図７】導水管の説明図である。
【図８】導水管相互の連結具の説明図である。
【考案を実施するための形態】
【００１４】
以下図面によって本考案の実施例を説明する。
【００１５】
図において１はコレクタ、２は導水管、３は貯蔵庫、４はコレクタ、５は通気孔、６は開閉弁、７は導水管、８は底面、９はボトルくぼみの雌ねじ、１０はバイオネット、１１はネック、１２はボトル底部、１３はシールリング、１４は連結孔及び１５はドレン開孔である。
【００１６】
本考案によって灌漑するため雨水を集め貯蔵するための装置は、複数のコレクタを屋外に配置し、このコレクタ内に雨水や雪が入った後導水管を介してコレクタ内の水を複数の貯蔵庫内に流して集めて貯蔵し、より低いポテンシャルエネルギの位置の貯蔵庫に接続した出力パイプによって灌漑する。上記複数のコレクタを高、低交互に配置し、上記複数の貯蔵庫を互いに接続し、この貯蔵庫内の水を、より低いポテンシャルエネルギの位置の貯蔵庫に連結した出力パイプを介して貯蔵庫の水で完全に灌漑する。各コレクタを１つの貯蔵庫に接続し、各貯蔵庫を連結して雨水や雪を集めて貯蔵し、または導水管によってコレクタを接続し、複数の導水管を貯蔵庫に直接接続し、雨水や雪を集め、貯蔵する。
【実施例１】
【００１７】
図３は、本考案の灌漑のため雨水を集めて貯蔵する装置を示し、複数のコレクタ１と、導水管２と、複数の貯蔵庫３とを有する。複数のコレクタ１は導水管２によって複数の貯蔵庫３に接続する。複数の貯蔵庫３を高、低交互に配置し、互いに接続し、より低いポテンシャルエネルギの位置の貯蔵庫を出力パイプに接続する。更に、コレクタ１は中央部と、盛り上った周辺のくぼみ部とを有する箱状とし、くぼみ部の底端にはドレン開孔１５を設ける。コレクタ１には連結孔１４を形成し、この連結孔１４によって複数のコレクタ１を互いに連結する。図１はコレクタ１の平面図であり、図２はコレクタ１の断面図である。
【実施例２】
【００１８】
本考案の第２の実施例においては、図４に示すように端部と端部とを連結した溝付きコレクタを用いる。図５に示すように複数のコレクタ４のドレン開孔を導水管２によって互いに連結し、この導水管２を貯蔵庫３に連結し、貯蔵庫３の底部を互いに連通せしめる。
【００１９】
図６に示すように、貯蔵庫３の壁には導通孔を形成し、この導通孔を介して複数の貯蔵庫３を互いに連結せしめ、マイクロ貯蔵槽を構成せしめる。複数のコレクタ４を導水管２によって連結し、導水管２のドレン開孔を貯蔵庫３に連結せしめる。複数のの貯蔵庫３はボトルのネック部を介して互いに連結する。より低いポテンシャルエネルギの位置の貯蔵庫３の底部に開閉弁６を設け、この開閉弁６を導水管７に連通せしめる。貯蔵庫の上部には通気孔５を形成する。より低いポテンシャルエネルギの位置の貯蔵庫に連結した導水管は地表層８以下に埋め、導水管７には漏水孔を設け、導水管７からの漏水が地表層のための湿気を形成できるようにする。
【００２０】
図７に示すように複数の容器ボトルの端部同志を結合することによって上記導水管７を構成せしめる。容器ボトルの底部１２の内側のくぼみには雌ねじ９を形成する。更に図８に示すように雌ねじ９は他のボトルのネック１１の雄ねじに適合せしめ、互いに接続できるようにする。複数のボトルをこれらねじを介して互いに直列に接続して導水管を形成せしめる。
【００２１】
シールリング１３をボトルのネックと他の容器ボトルの底部間に設ける。容器ボトル底部の雌ねじ開口部に内側に曲がるバイオネット１０を設け、この開口に弾撥的に係合せしめるボトルのネックを他のボトルの底部の雌ねじにねじ込んだ後バイオネット１０を内側に曲げて両者を締め付ける。
【００２２】
上記コレクタ、貯蔵庫及び導水管として用いるコンテナは、使い捨てのコンテナとする。即ち、導水管は、使い捨てミネラル水ボトル、水以外の飲み物用ボトル、その他の使い捨て容器ボトルの端部同志を液密に接合して形成できる。貯蔵庫は使い捨て容器によって直接作り得る。また、コレクタは端部同志を直列に接続した使い捨ての溝付き容器によって形成できる。
【符号の説明】
【００２３】
１  コレクタ
２  導水管
３  貯蔵庫
４  コレクタ
５  通気孔
６  開閉弁
７  導水管
８  地表面
９  容器ボトルの雌ねじ
１０  バイオネット
１１  ボトルのネック部
１２  容器ボトル底部
１３  シールリング
１４  連結孔
１５  ドレン開孔
【手続補正書】
【提出日】平成23年12月6日(2011.12.6)
【手続補正１】
【補正対象書類名】手続補正書
【補正対象項目名】手続補正３
【補正方法】削除
【補正の内容】